(57)【要約】【課題】携帯性に優れ、使用後に皮膚に付着することがなく、且つ水洗トイレに流せる男性用尿吸収パットを提供する。【解決手段】略長方形の水崩壊性を有するバットと、該パットの長手方向一端側に貼着された水崩壊性を有する固着帯体とからなり、且つ前記パットの長手方向の長さは、利用者の男性性器の亀頭部を折り返して覆い、前記固着帯体によって亀頭部の境部で巻回可能な長さとし、且つ該パットは利用者の皮膚への付着を防止する処理が施されたパットとした。【選択図】        図２
0003160927.tif 000002
【実用新案登録請求の範囲】
【請求項１】
略長方形の水崩壊性を有するパットと、該パットの長手方向一端側に貼着された水崩壊性を有する固着帯体とからなり、前記パットの長手方向の長さは、利用者の男性性器の亀頭部を折り返して覆い、前記固着帯体によって亀頭部の境部で巻回可能な長さとされ、携帯性に優れ、水洗トイレに流せる尿取りパットであって、前記パットは利用者の皮膚への付着を防止する処理が施されたパットであることを特徴とする男性用尿吸収パット。
【請求項２】
前記パットは、利用者の尿中の有機物などを分解し、皮膚への付着を防止する入浴用石鹸、薬用石鹸やボデイシャンプー等の少なくとも１種からなる薬剤を塗布、或いは噴霧処理が施されたパットであることを特徴とする請求項１に記載の男性用尿吸収パット。
【考案の詳細な説明】
【技術分野】
【０００１】
本考案は、男性用尿吸収パットであって、とくに成人男性が携帯して失禁用パットとして使用でき、携帯性に優れ、水洗トイレ（男性用大便器、以下大と略す）に流せる男性用尿吸収パットに関するものである。
【背景技術】
【０００２】
従来より、透液性シートと不透液シートと吸収剤とを主な構成部材とした尿吸収パットが多数市販されている。しかしその多くは、利用者が専用の下着と共に着用して使用する大きな面積の平板状のものからなり、仮に尿を排出した場合であっても、専用の下着を着脱して取り替える必要があり、利用者の時間的、経済的な負担となるものであった。
【０００３】
また、高齢化する成人の多くが、頻尿となり軽い失禁を催すことがあり、通常の生活をしながら容易に尿吸収できるパットが待望されている。
【０００４】
そこで、本考案者は、簡単な構造で多数携帯することが可能であり、しかも着脱が簡単で、長時間装着しても快適で、水洗トイレ（大）で容易に廃棄できる男性用尿吸収パットを提案した。（特許文献１参照。）。
【先行技術文献】
【特許文献】
【０００５】
【特許文献１】実用新案登録第３１５４３６０号公報
【考案の概要】
【考案が解決しようとする課題】
【０００６】
上記の男性用尿吸収パットによって、簡単に携帯して持ち運びができ、長時間使用しても快適で容易に水洗トイレ（大）に廃棄できたが、パットに使用する水崩壊性シートは高価であり、また水による崩壊にもムラが生じる虞もあった。そこで、通常の水に崩壊しやすいテッシュペーパー等の紙を使用して吸収パットに成形して実験を行なったところ、水での崩壊性は安定したが、尿の吸収によってパットが皮膚に付着してしまうという欠陥が生じた。
【０００７】
上記の問題点に鑑み本考案者は、簡単な構造で多数携帯することが可能であり、しかも着脱が簡単で、長時間装着しても快適であり、皮膚に付着することもなく、水洗トイレ（大）で容易に廃棄できる男性用尿吸収パットを提供するに至った。
【課題を解決するための手段】
【０００８】
このため、本考案の男性用尿吸収パットは、略長方形の水崩壊性を有するパットと、該パットの長手方向一端側に貼着された水崩壊性を有する固着帯体とからなり、前記パットの長手方向の長さは、利用者の男性性器の亀頭部を折り返して覆い、前記固着帯体によって亀頭部の境部で巻回可能な長さとされ、携帯性に優れ、水洗トイレ（大）に流せる尿取りパットであって、前記パットは利用者の尿などの有機物を分解し、皮膚への付着を防止する入浴用石鹸、薬用石鹸やボデイシャンプー等の少なくとも１種からなる薬剤を塗布、或いは噴霧処理が施されたパットであることを特徴とする。
【考案の効果】
【０００９】
本考案に係る男性用尿吸収パットによれば、パットが利用者の皮膚への付着を防止する処理が施されているため、皮膚に付着しないという優れた効果を有する。
【００１０】
しかも、略長方形の水崩壊性を有するパットと、該パットの長手方向一端側に貼着された水崩壊性を有する固着帯体とから構成されており、折畳んでも嵩張らずに、多数携帯することができ、しかも使用後には水洗トイレ（大）に容易に廃棄できるという効果を有する。
【００１１】
さらに、パット本体の長手方向の長さは、利用者の男性性器の亀頭部を折り返して覆い、前記固着帯体によって亀頭部の境部で巻回可能な長さとしたため、亀頭部分を確実に保持し尿が漏れることがなく吸収させることができる。そして男性性器の側面には通気部が形成されるため、長時間装着しても蒸れることがなく快適であるという効果を有する。
【図面の簡単な説明】
【００１２】
【図１】本考案に係る男性用尿吸収パットの一実施例を示す平面説明図である。
【図２】本考案に係る男性用尿吸収パットの使用説明図である。
【考案を実施するための形態】
【００１３】
以下、本考案の実施例を示す図面を参照しながら説明するが、本考案が本実施例に限定されないことは言うまでもない。図１は、本考案の男性用尿吸収パットの一実施例を示す平面図、図２は本考案に係る男性用尿吸収パットの使用説明図である。
【実施例】
【００１４】
図１(a)に示すように、本考案の男性用尿吸収パット１は、長方形のパット本体２と、パット本体２の長手方向一端側に取り付けられた固着帯体３とから構成されている。
【００１５】
パット本体２は水崩壊性を有し柔軟性のある紙材が使用され、必要な厚みに積層されている。このパット本体２には後述する付着防止処理されており、皮膚に付着することがない。また、パット２の厚みを調節することで排泄される尿の量が多くても対応可能である。
【００１６】
パット本体２のサイズは、略幅５０ｍｍで長さ１４０ｍｍとし、成人男性の性器を折り返して装着可能とされている。
【００１７】
固着帯体３はパット本体２と同じ素材で構成され、水溶性接着剤にて取り付けられており、その表面には水溶性粘着剤４が塗布され離形紙（図示せず）が重合されている。また固着帯体３の長さは、パット本体２の長手方向の長さと同等か、長く形成されており、利用者の個人差に応じて巻き付け自在とされている。
【００１８】
図１（ｂ）は、本考案の男性用尿吸収パット１を畳んだ状態を示しており、この際、固着帯対３はそれぞれ斜めに折りたたまれる。この構成からなる男性用尿吸収パット１は、従来の尿吸収パットと比較して嵩張らず、多数の携帯を可能とするものである。
【００１９】
次に、本考案のパット本体２に施された付着防止処理については、尿中の有機成分等をある程度分解して皮膚への付着を軽減する作用を付与された処理である。まず付着防止に使用される薬剤としては、例えば市販の入浴用石鹸や薬用石鹸、或いはボデイシャンプーなど人体の皮膚に対して刺激の少ないものが選択される。これらの薬剤を温水あるいは冷水に分散させた溶液をパット本体２である紙材に塗布或いは浸透させた後、乾燥させる。また必要に応じて固着帯体３にも同様の処理行う。
【００２０】
次に図２に従って、本考案の男性用尿吸収パット１の使用例を説明する。図２（ａ）は男性性器の側面図、図２（ｂ）は男子用尿吸収パットを装着した状態を示す側面説明図でありる。
【００２１】
まずパット本体２を、亀頭５の裏側に接し固着帯体３が亀頭５の境部６近傍となる位置に当てる。次にパット本体２の他端側を持って、尿道口７を介して折り返し亀頭５を完全に覆う状態とする。そして、固着帯体３をパット本体２に巻き付け、粘着剤４によって固定する。
【００２２】
この使用例から判るように、本考案の男性用尿吸収パット１は、男性性器の亀頭部分で保持され、その側面側は開放されるため、男性性器全体を覆うことがなく蒸れることがない。しかも、パット本体の大きさが小さいため通常の下着を使用したままの利用が可能であり、違和感がない。尚、本実施例においては粘着剤を利用した固定の方法例で説明したが、これに限らず他の固定方法であってもかまわない。
【００２３】
以上の構成からなる、本考案の男性用尿吸収パットは、パットが利用者の皮膚への付着を防止する処理が施されているため、皮膚に付着しない。略長方形のパット本体と、該パット本体の長手方向一端側に貼着された固着帯体とから構成されており、折畳んでも嵩張らずに、多数携帯することができる。しかも固着帯体を亀頭部の境部で巻回可能な長さとしたため、亀頭部分を確実に保持し尿が漏れることがなく吸収させることができる。そして男性性器の側面には通気部が形成されるため、長時間装着しても蒸れることがなく快適である。
【符号の説明】
【００２４】
１            男性用尿吸収パット
２            パット本体
３            固着帯体
４            粘着剤
５            亀頭
６            境部
７            尿道口 
【図１】
0003160927.tif 000003
【図２】
0003160927.tif 000004
【手続補正書】
【提出日】平成22年5月1日(2010.5.1)
【手続補正１】
【補正対象書類名】実用新案登録請求の範囲
【補正対象項目名】請求項２
【補正方法】変更
【補正の内容】
【請求項２】
前記パットは、利用者の尿中の有機物を分解し、皮膚への付着を防止する入浴用石鹸、薬用石鹸やボデイシャンプー等の少なくとも１種からなる薬剤を塗布、或いは噴霧処理が施されたパットであることを特徴とする請求項１に記載の男性用尿吸収パット。